(57)【要約】【課題】見栄えが良く、施工費が安価な木造軸組構造の提供。【解決手段】木造軸組構造Ａは、壁パネル４１、４２のパネル縁端部４１ａ、４１ｂ、４２ａ、４２ｂを柱外周面１１、２１に固定し、壁パネル４３、４４のパネル縁端部４３ａ、４４ａを凹板５の凹溝５１に嵌め込み、柱外周面２１にパネル縁端部４３ｂ、４４ｂを固定し、隙間にＴ字板６を嵌め込んで柱２に固定してなる。このため、凹板５とＴ字板６が隙間等を隠すので見栄えが良い。また、工場等で製造した壁パネルを現場で構造体の内側に取り付けるので施工費が安価である。更に、各壁パネルの位置決めが容易にできるので、施工時間を短縮できる。【選択図】図１
2007120246.tif 000002
【特許請求の範囲】
【請求項１】
外周に凹状溝を長手方向に形成し、基礎の上に固定した土台から断面四角形の複数本の柱を立設し、
土や壁板で形成した複数の壁体を隣り合う柱の凹状溝間に配設して断面長方形の構造体とし、
前記壁体から隙間を空けて壁パネルを前記構造体の内側に複数枚取り付ける木造軸組構造において、
左右のパネル縁端部を柱外周面に固定して、前記壁パネルの第一群、第二群を前記構造体の対向する二壁面に取り付け、
角の柱の柱外周面に固定されるパネル縁端部の表面に、一方面に凹溝を長手方向に形成した凹板の他方面を固定し、
パネル縁端部の一方を前記凹板の凹溝に嵌め込み、角以外の柱の柱外周面に前記パネル縁端部の他方を固定して、前記壁パネルの第三群、第四群を前記構造体の対向する別の二壁面に取り付け、
前記壁パネルのパネル縁端部どうしが角以外の柱の柱外周面で衝合する隙間に、断面略Ｔ字状のＴ字板の柱状部を嵌め込み、前記柱に前記Ｔ字板を固定することを特徴とする木造軸組構造。
【請求項２】
外周に凹状溝を長手方向に形成し、基礎の上に固定した土台から断面四角形の複数本の柱を立設し、
土や壁板で形成した複数の壁体を隣り合う柱の凹状溝間に配設して断面長方形の構造体とし、
前記壁体から隙間を空けて壁パネルを前記構造体の内側に複数枚取り付ける木造軸組構造において、
凹状溝どうしが向き合う複数対の柱外周面について、対を成す柱外周面の一方に、固定する側が平坦で反対側に凹溝を長手方向に形成した凹板を固定し、対を成す前記柱外周面の他方に断面長方形の案内板を固定し、
パネル縁端部の一方を前記凹板の凹溝に嵌め込むとともに、前記パネル縁端部の他方を前記案内板に臨ませ、
前記パネル縁端部の他方と前記柱の柱外周面との隙間に、断面略Ｌ字状のＬ字板を嵌め込み、前記柱に前記Ｌ字板を固定することを特徴とする木造軸組構造。
【請求項３】
前記Ｌ字板の、前記構造体の内方に露出する平坦面と前記柱外周面に接する端面とが交差する角部と、
前記凹板の、前記構造体の内方に露出する側面と前記柱外周面に固定される底面とが交差する凹板角部に対して面取りを施すことを特徴とする請求項２に記載の木造軸組構造。
【請求項４】
前記壁パネルは、間伐材を加工した、幅が狭い横長板を、複数枚、長方形に組み付けたものであることを特徴とする請求項１乃至請求項３の何れかに記載の木造軸組構造。
【請求項５】
間伐材を加工した、幅が狭い横長板を、複数枚、長方形に組み付けた天井パネルのパネル縁端部どうしが衝合する隙間に、断面略Ｔ字状のＴ字板の柱状部を嵌め込んでなる天井構造。
【発明の詳細な説明】
【技術分野】
【０００１】
本発明は、木造家屋に用いる、木造軸組構造および天井構造板壁に関する。
【背景技術】
【０００２】
植林した木々は、成長する過程で間伐する必要がある。この間伐材からは径小の材木が得られ、幅の狭い板に加工される。
資源を有効利用するため、この幅の狭い板の活用が求められている。
【０００３】
しかし、この幅が狭い板を現場で１枚ずつ、壁の裏側（室内側）に取り付ける内装工事は、時間がかかるとともに、熟練した技術が必要である。また、クロス工事に比べ、工事費が大幅に高くなる。
そこで、幅の狭い板を複数枚、工場でパネル状に組み付けた板パネルを使用する技術、例えば、特許文献１が知られている。
【特許文献１】特開平１０−４６７０４号公報  また、壁パネルを壁の裏側に取り付ける替わりに、クロス工事を行う場合もある。
【発明の開示】
【発明が解決しようとする課題】
【０００４】
しかし、上記の各施工方法は、つぎの様な課題がある。
クロス工事で内装を行うと、工事費が比較的安価で済むが、木造家屋に住んでいるという実感が薄れる。
板パネルで内装を行う場合には、以下の課題が生じる。
・施工者の違いにより、パネル板の取り付け位置がバラつく。
・壁パネルを正確に位置決めするため、取り付けに時間がかかる。
・壁パネルの衝合部分（繋ぎ箇所）の見栄えが悪い。
【０００５】
本発明の第１の目的は、見栄えが良く、施工費が安価な木造軸組構造の提供にある。
本発明の第２の目的は、短時間に見栄え良く、容易に壁パネルを構造体の内側に取り付けることができる、施工費が安価な木造軸組構造の提供にある。
本発明の第３の目的は、間伐材を有効に使った、見栄えが良い天井構造の提供にある。
【課題を解決するための手段】
【０００６】
〔請求項１について〕
外周に凹状溝を長手方向に形成した断面四角形の柱を、基礎の上に固定した土台から複数本立設し、土や壁板で形成した複数の壁体を隣り合う柱の凹状溝間に配設して断面長方形の構造体としている。そして、壁体から隙間を空けて壁パネルを構造体の内側に、下記の様に複数枚取り付けて木造軸組構造としている。
【０００７】
左右のパネル縁端部を柱外周面に固定（釘、ネジ、接着剤等）して、壁パネルの第一群、第二群を、構造体の対向する二壁面に取り付ける。
つぎに、角に位置する柱の柱外周面に固定されるパネル縁端部の表面に、一方面に凹溝を長手方向に形成した凹板の他方面を固定（釘、ネジ、接着剤等）する。
つぎに、パネル縁端部の一方を凹板の凹溝に嵌め込み、角以外の柱の柱外周面にパネル縁端部の他方を固定（釘、ネジ、接着剤等）して、壁パネルの第三群、第四群を、構造体の対向する別の二壁面に取り付ける。
最後に、壁パネルのパネル縁端部どうしが角以外に位置する柱の柱外周面で衝合する隙間に、断面略Ｔ字状のＴ字板の柱状部を嵌め込み、柱にＴ字板を固定（釘、ネジ、接着剤等）する。
【０００８】
木造軸組構造は、パネル縁端部どうしが柱の柱外周面で衝合する壁パネルの隙間をＴ字板が隠し、角の柱の柱外周面にパネル縁端部を固定した、第一群、第二群の壁パネルのパネル縁端部と、第三群、第四群の壁パネルの凹溝に嵌め込むパネル縁端部の一方とが交差する部分を凹板が隠すので見栄えが良い。また、工場等で製造した壁パネルを現場で構造体の内側に取り付けるので施工費が安価である。
凹板およびＴ字板を用いることにより、壁パネルの位置決めが容易にできるので、施工時間を短縮できる。
【０００９】
〔請求項２について〕
外周に凹状溝を長手方向に形成した断面四角形の柱を、基礎の上に固定した土台から複数本立設し、土や壁板で形成した複数の壁体を隣り合う柱の凹状溝間に配設して断面長方形の構造体としている。そして、壁体から隙間を空けて壁パネルを構造体の内側に、下記の様に複数枚取り付けて木造軸組構造としている。
【００１０】
凹状溝どうしが向き合う複数対の柱外周面について、対を成す柱外周面の一方に、固定する側が平坦で反対側に凹溝を長手方向に形成した凹板を固定（釘、ネジ、接着剤等）する。また、対を成す柱外周面の他方に断面長方形の案内板を固定（釘、ネジ、接着剤等）する。
つぎに、パネル縁端部の一方を凹板の凹溝に嵌め込むとともに、パネル縁端部の他方を案内板に臨ませる。なお、後から、凹溝に嵌め込んだパネル縁端部の一方を凹板に固定（釘、ネジ、接着剤等）するのが好ましい。
パネル縁端部の他方と柱の柱外周面との隙間に、断面略Ｌ字状のＬ字板を嵌め込み、柱にＬ字板を固定（釘、ネジ、接着剤等）する。
【００１１】
壁パネルのパネル縁端部の一方を凹溝に嵌め込んでパネル縁端部の一方を凹板が隠し、パネル縁端部の他方と柱の柱外周面との隙間を、隙間に嵌め込むＬ字板が隠すので見栄えが良い。また、工場等で製造した壁パネルを現場で構造体の内側に取り付けるので施工費が安価である。
凹板、案内板、およびＬ字板を用いることにより、壁パネルの位置決めが容易にできるので、施工時間を短縮できる。
【００１２】
角以外の柱の柱外周面の一つが構造体の内方に露出するので、物品（時計、電話機等）を柱の柱外周面に固定（釘、ネジ等）して、構造体の内方から物品を利用することができる。
壁パネルが柱の柱外周面から構造体の内方に出ないので、請求項１の木造軸組構造に比べ、完成後の室内が若干広い。
【００１３】
〔請求項３について〕
構造体の内方に露出する平坦面と柱外周面に接する端面とが交差するＬ字板の角部に面取りを施す。更に、構造体の内方に露出する側面と柱外周面に固定される凹板の底面とが交差する凹板角部に対して面取りを施す。
これにより、凹板と柱の柱外周面、およびＬ字板と柱の柱外周面とのつなぎ目が目立たなくなり、更に見栄えが良くなる。
【００１４】
〔請求項４について〕
木造軸組構造に用いる壁パネルは、間伐材を加工した、幅が狭い横長板を、複数枚、長方形に組み付けたものである。
これにより、木造軸組構造は、間伐材を有効利用することができる。また、構造体の内側に壁パネルを複数枚取り付ける構成であるので、施工時間が短いとともに、施工に熟練した技術を必要としない。
【００１５】
〔請求項５について〕
天井構造は、間伐材を加工した、幅が狭い横長板を、複数枚、長方形に組み付けた天井パネルのパネル縁端部どうしが衝合する隙間に、断面略Ｔ字状のＴ字板の柱状部を嵌め込んでなる。
天井構造は、間伐材を有効利用することができる。また、天井パネルのパネル縁端部どうしが衝合する隙間がＴ字板で隠れるので見栄えが良い。
【発明を実施するための最良の形態】
【００１６】
木造軸組構造は、外周に凹状溝を上下方向に形成し、基礎の上に固定した土台から断面正方形の八本の柱を立設し、土等で形成した壁体を隣り合う柱の凹状溝間に配設して断面長方形の構造体とし、各壁体から隙間を空けて、下記に示す手順で八枚の壁パネルを構造体の内側に取り付けている。
【００１７】
（１）壁パネルの左右のパネル縁端部を柱外周面に釘で固定して、壁パネルの第一群、第二群を構造体の対向する二壁面に取り付ける。
（２）つぎに、四隅の柱の柱外周面に固定されるパネル縁端部の表面に、一方面に凹溝を長手方向に形成した凹板の他方面を固定する。
（３）つぎに、パネル縁端部の一方を凹板の凹溝に嵌め込み、角以外の柱の柱外周面にパネル縁端部の他方を固定して、壁パネルの第三群、第四群を構造体の対向する別の二壁面に取り付ける。
（４）最後に、壁パネルのパネル縁端部どうしが角以外の柱の柱外周面で衝合する隙間に、断面略Ｔ字状のＴ字板の柱状部を嵌め込み、柱にＴ字板を釘で固定する。
【００１８】
上記木造軸組構造は、パネル縁端部どうしが柱の柱外周面で衝合する壁パネルの隙間をＴ字板が隠し、四隅の柱の柱外周面にパネル縁端部を固定した、第一群、第二群の壁パネルのパネル縁端部と、第三群、第四群の壁パネルの凹溝に嵌め込むパネル縁端部の一方とが交差する部分を凹板が隠すので見栄えが良い。
凹板およびＴ字板を用いているので、壁パネルの位置決めが容易にでき、施工時間を短縮できる。また、壁パネルを工場等で製造し、この壁パネルを現場で構造体の内側に取り付ける工法であるので施工費が安価で済む。
【実施例１】
【００１９】
本発明の実施例１（請求項１、４、５に対応）を、図１〜図６に基づいて説明する。
木造軸組構造Ａは、基礎の上に固定した土台（何れも図示せず）から断面正方形の柱１、２を合計八本立設し、土や壁板で形成した壁体３１を隣り合う柱１、２の凹状溝１ｍ、２ｍ間に配設して断面正方形の構造体３とし、壁体３１から隙間を空けて壁パネル４１〜４４を構造体３の内側に取り付けている。
【００２０】
基礎は、鉄筋コンクリート製の布基礎であり、正方形に配設される。
土台は木材で形成され、基礎の上面に水平に置かれ、アンカーボルトにより基礎に固定される。
【００２１】
壁パネル４１〜４４は、図３および図４に示す様に、幅の狭い板４０を釘４５で枠体４６に複数枚固定したものであり、工場で製造される。
幅の狭い板４０の、段違いの一方側面には凹溝４７が形成され、段違いの他方側面には凹溝４７に嵌め込むための凸状４８が形成されている。なお、幅の狭い板４０は、間伐材から得られた径小の材木を加工したものである。
【００２２】
つぎに、図２の（ａ）に示す構造体３の内側への壁パネル４１〜４４の取り付けの手順を説明する。
（１）図２の（ｂ）に示す様に、壁パネル４１のパネル縁端部４１ａを図示左上の隅の柱１の柱外周面１１に釘１２で固定し、パネル縁端部４１ｂを図示上中央の柱２の柱外周面２１に釘２２で固定して、壁パネル４１（壁パネルの第一群）を構造体３の図示上方の内壁面に取り付ける。
【００２３】
（２）壁パネル４２のパネル縁端部４２ａを図示左下の隅の柱１の柱外周面に釘で固定し、パネル縁端部４２ｂを中央の柱２の柱外周面に釘で固定して、壁パネル４２（壁パネルの第二群）を構造体３の対向する図示下方の内壁面に取り付ける。
【００２４】
（３）つぎに、図２の（ｃ）に示す様に、図示左上の隅の柱１の柱外周面１１に固定される壁パネル４１のパネル縁端部４１ａの表面に、一方面に凹溝５１を上下方向に形成した凹板５の他方面を釘１３で固定する。同様に、図示右上の隅の柱１の柱外周面に固定される壁パネル４１のパネル縁端部４１ａの表面に、一方面に凹溝を上下方向に形成した凹板５の他方面を釘で固定する。
【００２５】
図示左下の隅の柱１の柱外周面に固定されるパネル縁端部４２ａの表面に、一方面に凹溝を上下方向に形成した凹板５の他方面を釘で固定する。同様に、図示右下の隅の柱１の柱外周面に固定されるパネル縁端部４２ａの表面に、一方面に凹溝を上下方向に形成した凹板５の他方面を釘で固定する。
【００２６】
（４）つぎに、図２の（ｄ）に示す様に、壁パネル４３のパネル縁端部４３ａ（パネル縁端部の一方）を凹板５の凹溝５１に嵌め込み、柱２の柱外周面２１にパネル縁端部４３ｂ（パネル縁端部の他方）を釘２３で固定して、壁パネル４３（壁パネルの第三群）を構造体３の図示左上方の内壁面に取り付ける。なお、後から、パネル縁端部４３ａを釘２４で凹板５に固定する。同様の方法で、構造体３の図示左下方の内壁面にも壁パネル４３を固定する。
【００２７】
壁パネル４４のパネル縁端部４４ａ（パネル縁端部の一方）を凹板５の凹溝５１に嵌め込み、柱２の柱外周面にパネル縁端部４４ｂ（パネル縁端部の他方）を釘で固定して、壁パネル４４（壁パネルの第四群）を構造体３の図示右上方の内壁面に取り付ける。なお、後から、パネル縁端部４４ａを釘で凹板５に固定する。同様の方法で、構造体３の図示右下方の内壁面にも壁パネル４４を固定する。
【００２８】
（５）壁パネル４１のパネル縁端部４１ｂ、４１ｂどうしが図示上方の柱２の柱外周面２１で衝合する隙間に、断面略Ｔ字状のＴ字板６の柱状部６１を嵌め込み、柱２にＴ字板６を釘２４で固定する。
同様に、図示下方のパネル縁端部４２ｂ、４２ｂどうしが図示下方の柱２の柱外周面で衝合する隙間、図示左方のパネル縁端部４３ｂ、４３ｂどうしが図示左方の柱２の柱外周面で衝合する隙間、および図示右方のパネル縁端部４４ｂ、４４ｂどうしが図示下方の柱２の柱外周面で衝合する隙間に、断面略Ｔ字状のＴ字板６の柱状部６１を嵌め込み、柱２にＴ字板６を釘で固定する。
【００２９】
木造軸組構造Ａの天井６０は、図５に示す様に、天井パネル６２のパネル縁端部６３どうしが衝合する隙間６４、６５に、断面略Ｔ字状のＴ字板６６、６７の柱状部６６ａ、６７ａを嵌め込み、釘６８で固定している。
なお、天井パネル６２は、間伐材を加工した幅が狭い横長板を複数枚、壁パネル４１〜４４と同様に長方形に組み付けたものである。
【００３０】
実施例１の木造軸組構造Ａは、以下の利点を有する。
壁パネルの隙間、例えば、壁パネル４１、４１のパネル縁端部４１ｂ、４１ｂが柱２の柱外周面２１で衝合する隙間をＴ字板６が隠している。また、パネル縁端部どうしが四隅の柱１で交差する部分、例えば、壁パネル４３のパネル縁端部４３ａと、壁パネル４１のパネル縁端部４１ａとが、図示左上の柱１で交差する部分を凹板５が隠している。このため、隙間やつなぎ目が目立たず、見栄えが良い（図１参照）。
天井６０は、天井パネル６２のパネル縁端部６３どうしが衝合する隙間６４、６５がＴ字板６６、６７で隠れるので見栄えが良い（図５、図６参照）。また、間伐材を有効利用することができる。
【００３１】
工場で製造した壁パネル４１〜４４を現場で構造体３の内側に取り付けるので施工費が安価である。
凹板５およびＴ字板６を用いることにより、壁パネル４１〜４４の位置決めが容易にできるので、施工時間を短縮できる。
【実施例２】
【００３２】
本発明の実施例２（請求項２、３、４に対応）を、図７、図８に基づいて説明する。
木造軸組構造Ｂは、基礎の上に固定した土台（何れも図示せず）から断面正方形の柱１、２を合計八本立設し、土や壁板で形成した壁体３１を隣り合う柱１、２の凹状溝１ｍ、２ｍ間に配設して断面正方形の構造体３とし、壁体３１から隙間を空けて壁パネル７を構造体３の内側に取り付けている。
【００３３】
基礎は、鉄筋コンクリート製の布基礎であり、正方形に配設される。
土台は木材で形成され、基礎の上面に水平に置かれ、アンカーボルトにより基礎に固定される。
【００３４】
壁パネル７は、木造軸組構造Ａと同様のものであり、図３および図４に示す様に、幅の狭い板４０を釘４５で枠体４６に複数枚固定したものであり、工場で製造される。
幅の狭い板４０の、段違いの一方側面には凹溝４７が形成され、段違いの他方側面には凹溝４７に嵌め込むための凸状４８が形成されている。なお、幅の狭い板４０は、間伐材から得られた径小の材木を加工したものである。
【００３５】
つぎに、図８の（ａ）に示す構造体３の内側への壁パネル７の取り付けの手順を説明する。
（１）図８の（ｂ）に示す様に、凹状溝１ｍを形成した側の柱外周面１４に凹板５２を釘１５で固定する。また、凹状溝２ｍを形成した側の柱２の柱外周面２５に断面長方形の案内板５３を釘２６で固定する。
【００３６】
（２）つぎに、図８の（ｃ）に示す様に、壁パネル７のパネル縁端部７１（パネル縁端部の一方）を凹板５２の凹溝５４に嵌め込み、パネル縁端部７２（パネル縁端部の他方）を案内板５３の前面に臨ませる。
凹板５２は、柱１、２に臨む角が、断面正方形に面取５０されている（図７の左方円の要部拡大図参照）。
【００３７】
（３）パネル縁端部７２（パネル縁端部の他方）と柱２の柱外周面２５との隙間２７に、断面略Ｌ字状のＬ字板５５を嵌め込み、柱２にＬ字板５５を釘２８で固定する。
なお、Ｌ字板５５は、柱２に臨む角が、断面正方形に面取５６されている（図７の右方円の要部拡大図参照）。
他の部位の壁パネル７も同様の手順で、構造体３の内側へ取り付ける。
【００３８】
実施例２の木造軸組構造Ｂは、以下の利点を有する。
壁パネル７のパネル縁端部７１を凹溝５４に嵌め込んでパネル縁端部７１を凹板５２が隠し、パネル縁端部７２と柱２の柱外周面２５との隙間２７を、隙間２７に嵌め込むＬ字板５５が隠すので見栄えが良い（図７参照）。
これに加え、凹板５２の柱１に臨む角が断面正方形に面取５０され、Ｌ字板５５の柱２に臨む角が断面正方形に面取５６されている（図７参照）。このため、凹板５２と柱１の柱外周面１４とのつなぎ目、およびＬ字板５５と柱２の柱外周面２５とのつなぎ目が目立たず、更に見栄えが良い。
【００３９】
柱２の柱外周面２９が構造体３の内方に露出するので、物品（時計、電話機等）を柱２の柱外周面２９に固定（釘、ネジ等）し、固定した物品を室内から利用することができるので便利である。
壁パネル７が柱２の柱外周面２９から構造体３の内方に出ないので、請求項１の木造軸組構造Ａに比べ、完成後の室内が若干広くなる。
【００４０】
木造軸組構造Ｂに用いる壁パネル７は、間伐材を加工した、幅が狭い横長板を、複数枚、長方形に組み付けたものである。これにより、木造軸組構造Ｂは、間伐材を有効利用することができる。
工場等で製造した壁パネル７を現場で構造体３の内側に複数枚取り付ける工法であるので施工費が安価であるとともに、施工に熟練した技術を必要としない。
凹板５２、案内板５３、およびＬ字板５５を用いることにより、壁パネル７の位置決めが容易にできるので短時間で施工できる。
【実施例３】
【００４１】
つぎに、本発明の実施例３（請求項１、４、５に対応）を、図９〜図１２に基づいて説明する。
木造軸組構造Ｃは、木造軸組構造Ａと同様、基礎の上に固定した土台（何れも図示せず）から断面正方形の柱１、２を合計八本立設し、土や壁板で形成した壁体３１を隣り合う柱１、２の凹状溝１ｍ、２ｍ間に配設して断面正方形の構造体３とし、壁体３１から隙間を空けて壁パネル８１〜８４を構造体３の内側に取り付けている。
【００４２】
基礎は、鉄筋コンクリート製の布基礎であり、正方形に配設される。
土台は木材で形成され、基礎の上面に水平に置かれ、アンカーボルトにより基礎に固定される。
【００４３】
壁パネル８１〜８４は、幅の狭い板８０を図示しない釘で枠体８６に複数枚固定したものであり、工場で製造される。幅の狭い板８０の、段違いの一方側面には凹溝８７が形成され、段違いの他方側面には凹溝８７に嵌め込むための凸状８８が形成されている（図１１参照）。なお、幅の狭い板８０は、間伐材から得られた径小の材木を加工したものである。
【００４４】
つぎに、図１０の（ａ）に示す構造体３の内側への壁パネル８１〜８４の取り付けの手順を説明する。
（１）図１０の（ｂ）に示す様に、壁パネル８１のパネル縁端部８１ａを図示左上の隅の柱１の柱外周面１１に釘１２で固定し、パネル縁端部８１ｂを図示上中央の柱２の柱外周面２１に釘２２で固定して、壁パネル８１（壁パネルの第一群）を構造体３の図示上方の内壁面に取り付ける。
【００４５】
（２）壁パネル８２のパネル縁端部８２ａを図示左下の隅の柱１の柱外周面に釘で固定し、パネル縁端部８２ｂを中央の柱２の柱外周面に釘で固定して、壁パネル８２（壁パネルの第二群）を構造体３の対向する図示下方の内壁面に取り付ける。
【００４６】
（３）つぎに、図１０の（ｃ）に示す様に、図示左上の隅の柱１の柱外周面１１に固定される壁パネル８１のパネル縁端部８１ａの表面に、一方面に凹溝５１を上下方向に形成した凹板５の他方面を釘１３で固定する。同様に、図示右上の隅の柱１の柱外周面に固定される壁パネル８１のパネル縁端部８１ａの表面に、一方面に凹溝を上下方向に形成した凹板５の他方面を釘で固定する。
【００４７】
図示左下の隅の柱１の柱外周面に固定されるパネル縁端部８２ａの表面に、一方面に凹溝を上下方向に形成した凹板５の他方面を釘で固定する。同様に、図示右下の隅の柱１の柱外周面に固定されるパネル縁端部８２ａの表面に、一方面に凹溝を上下方向に形成した凹板５の他方面を釘で固定する。
【００４８】
（４）つぎに、図１０の（ｄ）に示す様に、壁パネル８３のパネル縁端部８３ａ（パネル縁端部の一方）を凹板５の凹溝５１に嵌め込み、柱２の柱外周面２１にパネル縁端部８３ｂ（パネル縁端部の他方）を釘２３で固定して、壁パネル８３（壁パネルの第三群）を構造体３の図示左上方の内壁面に取り付ける。なお、後から、パネル縁端部８３ａを釘２４で凹板５に固定する。同様の方法で、構造体３の図示左下方の内壁面にも壁パネル８３を固定する。
【００４９】
壁パネル８４のパネル縁端部８４ａ（パネル縁端部の一方）を凹板５の凹溝５１に嵌め込み、柱２の柱外周面にパネル縁端部８４ｂ（パネル縁端部の他方）を釘で固定して、壁パネル８４（壁パネルの第四群）を構造体３の図示右上方の内壁面に取り付ける。なお、後から、パネル縁端部８４ａを釘で凹板５に固定する。同様の方法で、構造体３の図示右下方の内壁面にも壁パネル８４を固定する。
【００５０】
（５）図１０の（ｅ）および図１１に示す様に、二つの凹溝を形成した溝付板９１、９２を、壁パネル８１〜８４の上部内側面および下部内側面に釘９３で固定する。
【００５１】
（６）図１０の（ｆ）に示す様に、壁パネル８１のパネル縁端部８１ｂ、８１ｂどうしが図示上方の柱２の柱外周面２１で衝合する隙間に、断面略Ｔ字状のＴ字板６の柱状部６１を嵌め込み、柱２にＴ字板６を釘２４で固定する。
同様に、図示下方のパネル縁端部８２ｂ、８２ｂどうしが図示下方の柱２の柱外周面で衝合する隙間、図示左方のパネル縁端部８３ｂ、８３ｂどうしが図示左方の柱２の柱外周面で衝合する隙間、および図示右方のパネル縁端部８４ｂ、８４ｂどうしが図示下方の柱２の柱外周面で衝合する隙間に、断面略Ｔ字状のＴ字板６の柱状部６１を嵌め込み、柱２にＴ字板６を釘で固定する。
【００５２】
なお、木造軸組構造Ｃの天井は、天井パネルのパネル縁端部どうしが衝合する隙間に、断面略Ｔ字状のＴ字板の柱状部を嵌め込んで釘で固定している（図１２参照）。なお、天井パネルは、間伐材を加工した幅が狭い横長板を複数枚、壁パネル８１〜８４と同様に長方形に組み付けたものである。
【００５３】
実施例３の木造軸組構造Ｃは、以下の利点を有する。
壁パネルの隙間、例えば、壁パネル８１、８１のパネル縁端部８１ｂ、８１ｂが柱２の柱外周面２１で衝合する隙間をＴ字板６が隠している。また、パネル縁端部どうしが四隅の柱１で交差する部分、例えば、壁パネル８３のパネル縁端部８３ａと、壁パネル８１のパネル縁端部８１ａとが、図示左上の柱１で交差する部分を凹板５が隠している。このため、隙間やつなぎ目が目立たず、見栄えが良い（図９参照）。
天井は、天井パネルのパネル縁端部どうしが衝合する隙間がＴ字板で隠れるので見栄えが良い（図１２参照）。また、間伐材を有効利用することができる。
【００５４】
工場で、間伐材から作った幅の狭い板８０を図示しない釘で枠体８６に複数枚固定して製造した壁パネル８１〜８４を現場で構造体３の内側に取り付ける工法であるので施工費が安価である。
凹板５およびＴ字板６を用いることにより、壁パネル８１〜８４の位置決めが容易にできるので、施工時間を短縮できる。
【００５５】
二つの凹溝を形成した溝付板９１、９２を、壁パネル８１〜８４の上部内側面および下部内側面に釘９３で固定しているので、釘９３が目立たないとともに、見栄えが良い（図１２参照）。
【図面の簡単な説明】
【００５６】
【図１】本発明の実施例１に係る木造軸組構造を説明するための説明図である。
【図２】その木造軸組構造において、壁パネルの取付工程を説明するための工程図である。
【図３】その木造軸組構造において、壁パネルの構造を説明するための説明図である。
【図４】その壁パネルの要部を説明するための説明図である。
【図５】その木造軸組構造の天井構造を説明するための工程図である。
【図６】その木造軸組構造を部屋内から見た斜視図である。
【図７】本発明の実施例２に係る木造軸組構造を説明するための説明図である。
【図８】その木造軸組構造において、壁パネルの取付工程を説明するための工程図である。
【図９】本発明の実施例３に係る木造軸組構造を説明するための説明図である。
【図１０】その木造軸組構造において、壁パネルの取付工程を説明するための工程図である。
【図１１】その木造軸組構造において、壁パネルの構造を説明するための説明図である。
【図１２】その木造軸組構造を部屋内から見た斜視図である。
【符号の説明】
【００５７】
Ａ、Ｂ、Ｃ  木造軸組構造
１  柱（角の柱）
２  柱（角以外の柱）
１ｍ、２ｍ  凹状溝
３  構造体
５、５２  凹板
６  Ｔ字板
７  壁パネル
１１  柱外周面（角の柱の柱外周面）
２１  柱外周面（角以外の柱の柱外周面）
３１  壁体
４１、８１  壁パネル（壁パネルの第一群）
４２、８２  壁パネル（壁パネルの第二群）
４３、８３  壁パネル（壁パネルの第三群）
４４、８４  壁パネル（壁パネルの第四群）
４１ａ、４１ｂ、４２ａ、４２ｂ  パネル縁端部
４２ａ、４２ｂ、８１ａ、８１ｂ  パネル縁端部
４３ａ、４４ａ、８３ａ、８４ａ  パネル縁端部（パネル縁端部の一方）
４３ｂ、４４ｂ、８３ｂ、８４ｂ  パネル縁端部（パネル縁端部の他方）
５０、５６  面取り
５１  凹溝
５３  案内板
５５  Ｌ字板
６０  天井（天井構造）
６２  天井パネル
６６、６７  Ｔ字板
６６ａ、６７ａ  柱状部
７１  パネル縁端部（パネル縁端部の一方）
７２  パネル縁端部（パネル縁端部の他方）
【図１】
2007120246.tif 000003
【図２】
2007120246.tif 000004
【図３】
2007120246.tif 000005
【図４】
2007120246.tif 000006
【図５】
2007120246.tif 000007
【図６】
2007120246.tif 000008
【図７】
2007120246.tif 000009
【図８】
2007120246.tif 000010
【図９】
2007120246.tif 000011
【図１０】
2007120246.tif 000012
【図１１】
2007120246.tif 000013
【図１２】
2007120246.tif 000014